Podtech/llm-jp-corpus-v4-ja_patent huggingface dataset:
【手続補正書】
【提出日】平成17年7月29日(2005.7.29)
【手続補正１】
【補正対象書類名】特許請求の範囲
【補正対象項目名】全文
【補正方法】変更
【補正の内容】
【特許請求の範囲】
【請求項１】
アポリポタンパク質Ｂをコードする核酸分子に対して標的化された、８〜５０核酸塩基長の非切断化合物であって、該化合物は、配列番号３に示されるヌクレオチド配列に特異的にハイブリダイズし、そしてアポリポタンパク質Ｂの発現を減少させる、化合物。
【請求項２】
アンチセンスオリゴヌクレオチドまたはその薬学的に受容可能な塩である、請求項１に記載の化合物。
【請求項３】
前記アンチセンスオリゴヌクレオチドが、少なくとも１つの改変されたヌクレオシド間結合を含む、請求項２に記載の化合物。
【請求項４】
前記改変されたヌクレオシド間結合が、ホスホロチオエート結合である、請求項３に記載の化合物。
【請求項５】
前記アンチセンスオリゴヌクレオチドが、少なくとも１つの改変された糖部分を含む、請求項２に記載の化合物。
【請求項６】
前記改変された糖部分が、２’−Ｏ−メトキシエチル糖部分である、請求項５に記載の化合物。
【請求項７】
前記アンチセンスオリゴヌクレオチドが、少なくとも１つの改変された核酸塩基を含む、請求項２に記載の化合物。
【請求項８】
前記改変された核酸塩基が、５−メチルシトシンである、請求項７に記載の化合物。
【請求項９】
前記アンチセンスオリゴヌクレオチドが、キメラオリゴヌクレオチドである、請求項２に記載の化合物。
【請求項１０】
請求項１に記載の化合物であって、アポリポタンパク質Ｂが、アポリポタンパク質Ｂ（ＡｐｏＢ  １００）の長い形態である、化合物。
【請求項１１】
請求項１に記載の化合物であって、該化合物は、アポリポタンパク質Ｂの選択的スプライシングされた形態をコードする核酸分子に特異的にハイブリダイズし、そして該核酸分子の発現を阻害する、化合物。
【請求項１２】
配列番号３に示されるヌクレオチド配列を有する核酸分子上の少なくとも８核酸塩基の活性部位部分と特異的にハイブリダイズする、８〜５０核酸塩基長の非切断化合物。
【請求項１３】
アポリポタンパク質Ｂをコードする核酸分子に対して標的化された、８〜５０核酸塩基長の非切断化合物であって、該化合物は、配列番号３に示されるヌクレオチド配列に特異的にハイブリダイズし、そして複数の２’−Ｏ−メトキシエチルヌクレオチドおよび複数の２−デオキシヌクレオチドを含む、化合物。
【請求項１４】
請求項１３に記載の非切断化合物であって、該化合物が、複数の２−Ｏ−メトキシエチルヌクレオチドが両方の側に隣接する複数の２−デオキシヌクレオチドを含むギャップ領域を含む、化合物。
【請求項１５】
請求項１４に記載の非切断化合物であって、該化合物が、５個の２’−Ｏ−メトキシエチルヌクレオチドが両方の側に隣接する１０個の２−デオキシヌクレオチドを含む、化合物。
【請求項１６】
前記非切断化合物がホスホロチオエート結合を含む、請求項１３に記載の非切断化合物。
【請求項１７】
請求項１３に記載の非切断化合物であって、該非切断化合物がシチジンヌクレオチドを含み、該シチジンヌクレオチドが５−メチルシチジンヌクレオチドである、化合物。
【請求項１８】
請求項１、２、９、１１、１２または１３に記載の化合物と、薬学的に受容可能なキャリアまたは薬学的に受容可能な賦形剤とを含む、組成物。
【請求項１９】
コロイド分散系をさらに含む、請求項１８に記載の組成物。
【請求項２０】
前記化合物が、アンチセンスオリゴヌクレオチドである、請求項１８に記載の組成物。
【請求項２１】
治療において使用するための、請求項１、１２または１３に記載の化合物を含む薬学的組成物。
【請求項２２】
請求項２１に記載の薬学的組成物であって、前記治療が細胞または組織においてアポリポタンパク質Ｂの発現を阻害する、薬学的組成物。
【請求項２３】
請求項２１に記載の薬学的組成物であって、前記治療が、アポリポタンパク質Ｂと関連する疾患または状態を有するか、アポリポタンパク質Ｂと関連する疾患または状態を有すると疑われるか、またはアポリポタンパク質Ｂと関連する疾患または状態に感受性があるヒトにおいて、アポリポタンパク質Ｂレベルを減少させる、薬学的組成物。
【請求項２４】
請求項２３に記載の薬学的組成物であって、前記疾患または状態が、異常な脂質代謝に関係する状態、異常なコレステロール代謝に関係する状態、アテローム性動脈硬化症、異常な代謝状態、糖尿病、肥満および心血管疾患からなる群より選択される、薬学的組成物。
【請求項２５】
前記異常な代謝状態が高脂血症である、請求項２４に記載の薬学的組成物。
【請求項２６】
前記治療がヒトにおける血清コレステロールレベルを減少させる、請求項２１に記載の薬学的組成物。
【請求項２７】
前記治療がヒトにおけるリポタンパク質レベルを減少させる、請求項２１に記載の薬学的組成物。
【請求項２８】
前記リポタンパク質がＶＬＤＬである、請求項２７に記載の薬学的組成物。
【請求項２９】
前記リポタンパク質がＬＤＬである、請求項２７に記載の薬学的組成物。
【請求項３０】
細胞または組織中のアポリポタンパク質Ｂの発現を阻害するための医薬の調製のための、請求項１、１２または１３に記載の化合物の使用。
【請求項３１】
アポリポタンパク質Ｂと関連する疾患または状態を有するか、アポリポタンパク質Ｂと関連する疾患または状態を有すると疑われるか、またはアポリポタンパク質Ｂと関連する疾患または状態に感受性であるヒトにおいて、アポリポタンパク質Ｂレベルを減少させるための医薬の調製のための、請求項１、１２または１３に記載の化合物の使用。
【請求項３２】
請求項３１に記載の使用であって、前記疾患または状態が、異常な脂質代謝に関係する状態、異常なコレステロール代謝に関係する状態、アテローム性動脈硬化症、異常な代謝状態、糖尿病、肥満および心血管疾患からなる群より選択される、使用。
【請求項３３】
前記異常な代謝状態が高脂血症である、請求項３２に記載の使用。
【請求項３４】
ヒトにおける血清コレステロールレベルを減少させるための医薬の調製のための、請求項１、１２または１３に記載の化合物の使用。
【請求項３５】
ヒトにおけるリポタンパク質レベルを減少させるための医薬の調製のための、請求項１、１２または１３に記載の化合物の使用。
【請求項３６】
前記リポタンパク質がＶＬＤＬである、請求項３５に記載の使用。
【請求項３７】
前記リポタンパク質がＬＤＬである、請求項３５に記載の使用。
【請求項３８】
１２〜３０核酸塩基長である、請求項１、１２または１３に記載の非切断化合物。
【誤訳訂正書】
【提出日】平成18年11月8日(2006.11.8)
【誤訳訂正１】
【訂正対象書類名】明細書
【訂正対象項目名】００２０
【訂正方法】変更
【訂正の内容】
【００２０】
バルク修飾法の別の実施形態において、上記のような更なる処理としては、膜組織に微孔または穴を形成するための、エキシマ、チタンサファイア、もしくはＹＡＧレーザーなどのレーザー処理、またはイオンビーム処理が含まれる。微孔は、直径数マイクロメートル以下のオーダーの寸法を有し得る。そのような処理によって、膜組織に微孔または穴の微細パターンが形成される。
【誤訳訂正２】
【訂正対象書類名】明細書
【訂正対象項目名】００２３
【訂正方法】変更
【訂正の内容】
【００２３】
処理には膜組織の表面修飾も含まれる。例えば、処理は、膜組織上への生体分子パターンの被着、およびレーザーまたはイオンビーム処理による微細孔または穴パターンの形成を包含し得る。この方法のいくつかの実施形態において、パターンは数マイクロメートル以下のオーダーの寸法を有する。この方法の他の実施形態において、生体分子としては、膜組織上の選択的細胞付着部位を非活性化させるのに有効なペプチドおよび短鎖ポリマーが含まれる。
【手続補正書】
【提出日】平成17年6月2日(2005.6.2)
【手続補正１】
【補正対象書類名】明細書
【補正対象項目名】００１１
【補正方法】変更
【補正の内容】
【００１１】
さらなる局面において、本発明は呼吸器ケモカイン・レセプター・ポリヌクレオチドに関する。かかるポリヌクレオチドは以下のポリヌクレオチドを包含する：
（ａ）配列番号１または配列番号５のポリヌクレオチド配列に少なくとも９５％、９６％、９７％、９８％、または９９％の同一性を有するポリヌクレオチド配列を含んでなる単離ポリヌクレオチド；
（ｂ）配列番号１または配列番号５のポリヌクレオチドを含んでなる単離ポリヌクレオチド；
（ｃ）配列番号１または配列番号５のポリヌクレオチドに少なくとも９５％、９６％、９７％、９８％、または９９％の同一性を有する単離ポリヌクレオチド配列；
（ｄ）配列番号１または配列番号５の単離ポリヌクレオチド；
（ｅ）配列番号２または配列番号６のポリペプチド配列に少なくとも９５％、９６％、９７％、９８％、または９９％の同一性を有するポリペプチド配列をコードするポリヌクレオチド配列を含んでなる単離ポリヌクレオチド；
（ｆ）配列番号２または配列番号６のポリペプチドをコードするポリヌクレオチド配列を含んでなる単離ポリヌクレオチド；
（ｇ）配列番号２または配列番号６のポリペプチド配列に少なくとも９５％、９６％、９７％、９８％、または９９％の同一性を有するポリペプチド配列をコードするポリヌクレオチド配列を有する単離ポリヌクレオチド；
（ｈ）配列番号２または配列番号６のポリペプチドをコードする単離ポリヌクレオチド；
（ｉ）配列番号２または配列番号６のポリヌクレオチド配列に比較して、０.９５、０.９６、０.９７、０.９８、または０.９９の同一性指標を有するポリヌクレオチド配列を有するかまたは含んでなる単離ポリヌクレオチド；配列番号２または配列番号６のポリペプチド配列に比較して、０.９５、０.９６、０.９７、０.９８、または０.９９の同一性指標を有するポリペプチド配列をコードするポリヌクレオチド配列を有するかまたは含んでなる単離ポリヌクレオチド；および上記ポリヌクレオチドのフラグメントおよび変異体であるポリヌクレオチドまたはその全長にわたって上記ポリヌクレオチドに相補性であるポリヌクレオチド。
【手続補正２】
【補正対象書類名】明細書
【補正対象項目名】００９１
【補正方法】変更
【補正の内容】
【００９１】
細胞調製、ＲＮＡおよび第一鎖ｃＤＮＡ合成
ＲＮＡはＲＮイージー抽出キット（キアゲン（Qiagen））を用い、業者のプロトコールにしたがって、細胞から調製する。使用した細胞は一次ヒト気管支上皮細胞（ＨＢＥＣ）、分化ＨＢＥＣ、一次ヒト肺線維芽細胞、一次ヒト気管支平滑筋細胞（ＳＭＣ）、ヒト末梢血Ｔ細胞、ヒト末梢血好中球、およびＧＭ−ＣＳＦで刺激した好中球である。一次ヒト細胞はバイオフィットテイカー（Biowhittaker）から購入するか、または明示している場合には標準手法にしたがってヒト末梢血から単離する。ヒト・マクロファージはインビトロで分化したヒト末梢血単球から標準プロトコールにしたがって調製する。第一鎖ｃＤＮＡは第一鎖ｃＤＮＡ合成キット（ロシュ・モレキュラー・バイオケミカルズ）に備わった試薬とプロトコールを用いて、細胞から単離した全ＲＮＡから調製する。
【手続補正３】
【補正対象書類名】明細書
【補正対象項目名】００９５
【補正方法】変更
【補正の内容】
【００９５】
ノーザンブロット分析
ノーザンブロット分析は１２レーン多重組織ノーザンブロット（クロンテック）を用い、業者の指示書にしたがって実施する。簡単に説明すると、ゲル精製ｃＤＮＡフラグメント（２５ｎｇ）を新鮮な［α−３２Ｐ］ｄＣＴＰにより、レッディプライム（Rediprime）標識キット（アマーシャム（Amersham））を用いて、業者の指示書にしたがって標識した。標識したプローブは９５℃で５分間変性し、次いで使用直前に５分間氷上で冷却する。０.１ｍｇ／ｍｌ変性ニシン精子ＤＮＡ含有エクスプレスハイブ（ExpressHyb）溶液（クロンテック）５ｍｌ中、ハイベイド（Hygaid）オーブンにて６８℃３０分間プレハイブリダイゼーションを実施する。ニシン精子ＤＮＡ（０.１ｍｇ／ｍｌ）および変性プローブ含有の新たなエクスプレスハイブによりハイブリダイゼーションを実施する。ハイブリダイゼーションは６８℃で約２時間行う。ブロットは２×ＳＳＣ、０.０５％ＳＤＳで室温１０分間４回洗浄し、次いで０.１×ＳＳＣ、０.１％ＳＤＳで５０℃２０分間２回洗浄する。ブロットをプラスチックバッグに封入し、リン光画像スクリーン（モレキュラー・ダイナミックス（Molecular Dynamics））に一夜露光する。画像はストーム・ホスホイメイジャー機器（モレキュラー・ダイナミックス）を使用し、またイメージクワント（ImageQuant）５.０ソフトウエアにより加工処理する。ブロットを０.５％ＳＤＳ中１０分間沸騰してストリップし、β−アクチン（クロンテック）３２Ｐ−標識プローブで再ハイブリッド形成する。
【手続補正４】
【補正対象書類名】明細書
【補正対象項目名】０１００
【補正方法】変更
【補正の内容】
【０１００】
ＣＨＯ−Ｋ１−ＣＲＥ細胞株にて安定に発現されるシングレット＿４１３レセプター
リガンドの釣り上げはオーファンレセプター・シングレット＿４１３を安定に形質移入したＣＨＯ−Ｋ１−ＣＲＥ細胞において一過性Ｃａ２＋シグナルを生じ得る化合物を探索することからなる。Ｆｌｉｐｒ３８４を用い、該化合物を細胞に注射し、そのシグナル（反応速度）を同時に記録する。実験の２４時間前に細胞を収穫し、計測し、３８４穴プレートにウエル当たり１００００細胞を播種し、３７℃／５％ＣＯ２に放置する。実験当日、該化合物を容れたインジェクションプレートを下記表に記載のように調製する。
【手続補正５】
【補正対象書類名】明細書
【補正対象項目名】０１０７
【補正方法】変更
【補正の内容】
【０１０７】
ｃＡＭＰアッセイ
アデニリルサイクラーゼ活性測定のために、細胞を２４穴プレートに１ウエル当たり１０００００細胞の密度で播種し、２〜３日間培養維持する。アッセイ当日に細胞を洗浄し、［３Ｈ］アデニン（アマーシャム；２μＣｉ／ｍｌ）含有無血清培地中で４時間インキュベートし、細胞内ＡＴＰプールを標識する。要すれば、百日咳毒素（ＰＴＸ；シグマ、１００ｎｇ／ｍｌ）をこの標識化に際し含める。
【手続補正書】
【提出日】平成16年9月30日(2004.9.30)
【手続補正１】
【補正対象書類名】手続補正書
【補正対象項目名】手続補正１
【補正方法】変更
【補正の内容】
【手続補正１】
【補正対象書類名】明細書
【補正対象項目名】０２８７
【補正方法】変更
【補正の内容】
【０２８７】
【図４１】表３を示す。非必須遺伝子の欠失を有する組換えＭＨＶｓによるＲＮＡ合成の定量。
【図４２】表４を示す。再配列ゲノムを有する組換えＭＨＶｓによるＲＮＡ合成の定量。
【図４３】表５を示す。ワクチン接種と被試験物投与後の臨床徴候の採点表。
【図４４】表６を示す。ＦＩＰＶ７９−１１４６の種々変異体で最初のワクチン接種した後の総合臨床スコア。
【図４５】表７を示す。ＦＩＰＶ７９−１１４６の投与後の総合臨床スコア。
【図４６Ａ】２つの外来遺伝子を有する組換えウイルスの複製。ウイルス（ＭＨＶ−ＲＬＦＬ、ＭＨＶ−２ａＲＬＳおよびＭＨＶ−ＥＦＬＭ）でのＬＲ７細胞の高 m.o.i.感染の後、感染９時間後に各培地から検体が採取され、そしてこの検体中の感染性が力価測定によって分析された。
【図４６Ｂ】組換えウイルスによるルシフェラーゼの発現。種々の組換えウイルスのホタルおよびルネラルシフェラーゼの細胞内発現が、感染（ＭＨＶ−ＲＬＦＬ，ＭＨＶ−２ａＲＬＳおよびＭＨＶ−ＥＦＬＭ）の９時間後に、製造者の説明書（プロメガ(Promega))にしたがって測定された。
【手続補正２】
【補正対象書類名】手続補正書
【補正対象項目名】手続補正２
【補正方法】追加
【補正の内容】
【手続補正２】
【補正対象書類名】明細書
【補正対象項目名】配列表
【補正方法】変更
【補正の内容】
【手続補正書】
【提出日】平成17年5月26日(2005.5.26)
【手続補正１】
【補正対象書類名】特許請求の範囲
【補正対象項目名】全文
【補正方法】変更
【補正の内容】
【特許請求の範囲】
【請求項１】
カプセルコアとしての潜熱蓄積材料を有するマイクロカプセルを有するせっこうボード。
【請求項２】
潜熱蓄積材料が、固／液相転移を−２０〜１２０℃の温度範囲内で有する親油性物質である、請求項１記載のせっこうボード。
【請求項３】
マイクロカプセルのカプセル壁が熱硬化性ポリマーである、請求項１記載のせっこうボード。
【請求項４】
マイクロカプセルのカプセル壁が高度に架橋したメタクリル酸エステルポリマーである、請求項１記載のせっこうボード。
【請求項５】
マイクロカプセルのカプセル壁が、
・モノマーの全質量に対して、１つ又はそれ以上の、アクリル酸及び／又はメタクリル酸のＣ１〜Ｃ２４−アルキルエステル（モノマーＩ）  ３０〜１００質量％、
・モノマーの全質量に対して、水に不溶性であるか又は難溶性である１つ又はそれ以上の二官能性又は多官能性のモノマー（モノマーＩＩ）  ０〜８０質量％、及び
・モノマーの全質量に対して、その他のモノマー（モノマーＩＩＩ）  ０〜４０質量％
を含有しているモノマー混合物のラジカル重合により得ることができる、請求項１記載のせっこうボード。
【請求項６】
マイクロカプセルの平均粒度が０．５〜１００μｍである、請求項１記載のせっこうボード。
【請求項７】
せっこうボードに対して、マイクロカプセル５〜４０質量％を含有している、請求項１記載のせっこうボード。
【請求項８】
厚さ０．２〜１ｍｍ及び／又は１００〜５００ｇ／ｍ２の密度の厚紙が使用されている、請求項１記載のせっこうボード。
【請求項９】
せっこうボードの両面をカバーするための繊維状形成体がポリマー繊維からなる、請求項１記載のせっこうボード。
【請求項１０】
せっこうボードの両面をカバーするための繊維状形成体がガラス繊維からなる、請求項１記載のせっこうボード。
【請求項１１】
セルロースベースの２枚のボード用原紙の間への水性せっこうスラリーの導入及びこうして形成されたボードの熱処理による、両面に設けられたボード用原紙を有するせっこうコアからなる請求項１記載のせっこうボードの製造方法において、
せっこうスラリーが、マイクロカプセルを、５／９５〜４０／６０のマイクロカプセル／硫酸カルシウム半水和物の質量比で含有することを特徴とする、せっこうボードの製造方法。
【請求項１２】
ポリマー又はガラス繊維からなる形成体の間への水性せっこうスラリーの導入及びこうして形成されたボードの熱処理による、せっこうボードの両面をカバーするためのポリマー又はガラス繊維からなる形成体を有するせっこうコアからなる請求項１記載のせっこうボードの製造方法において、
せっこうスラリーが、マイクロカプセルを、５／９５〜４０／６０のマイクロカプセル／硫酸カルシウム半水和物の質量比で含有することを特徴とする、せっこうボードの製造方法。
【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】
式１
【化１】
2005503416.tif 000001
［式中、
Ｒ1およびＲ2は、独立して、水素、場合により置換されていてもよいＣ1−Ｃ8−アルキル、場合により置換されていてもよい−ＣＨ2−Ｃ2-8アルケニル、および場合により置換されていてもよい−ＣＨ2−Ｃ2-8アルキニルから選択され、ここで、その置換基はアルキル、アルケニル、アルキニル、シクロアルキル、アリール、ヘテロアリール、置換アリール、置換ヘテロアリール、ヒドロキシおよびＣ1-8アルコキシから成る群から選択され、
Ｒ3は、水素、ＯＲ4、ＳＲ4およびＮＲ5Ｒ6（ここで、Ｒ4、Ｒ5およびＲ6は、独立して、Ｃ1-8アルキル、Ｃ3-8アルケニルおよびＣ3-8アルキニルから成る群から選択され、ここで、前記Ｃ1-8アルキル、Ｃ3-8アルケニルおよびＣ3-8アルキニルは場合によりアリール、置換アリール、ヘテロアリール、置換ヘテロアリール、ヒドロキシおよびＣ1-6アルコキシから成る群から選択される１個以上の置換基で置換されていてもよい）から選択され、
Ｒ7は、水素、またはヒドロキシ保護基であり、そして
Ｒ8は、水素、アルキル、Ｃ2−Ｃ10−アルケニル、Ｃ2−Ｃ10−アルキニル、アリール、ヘテロアリール、ヘテロシクロ、アリール（Ｃ1−Ｃ10）アルキル、アリール（Ｃ2−Ｃ10）アルケニル、アリール（Ｃ2−Ｃ10）アルキニル、ヘテロシクロ（Ｃ1−Ｃ10）アルキル、ヘテロシクロ（Ｃ2−Ｃ10）アルケニルおよびヘテロシクロ（Ｃ2−Ｃ10）アルキニル、Ｃ3−Ｃ6−シクロアルキル、Ｃ5−Ｃ8−シクロアルケニル、各アルキルもしくはアルコキシ基中に炭素原子を１−６個含有するアルコキシアルキル、および各アルキルもしくはチオアルキル基中に炭素原子を１−６個含有するアルキルチオアルキルから選択される］
で表される化合物、またはこれの光学異性体、鏡像異性体、ジアステレオマー、ラセミ体またはラセミ混合物、またはこれの薬学的に受け入れられる塩、エステルまたはプロドラッグ。
【請求項２】
Ｒ1およびＲ2が独立して水素、置換されているＣ1-8アルキル、場合により置換されていてもよい−ＣＨ2−Ｃ2-8アルケニル、および置換されている−ＣＨ2−Ｃ2-8アルキニルから選択され、ここで、その置換基がアリール、置換アリール、ヘテロアリールおよび置換ヘテロアリールから選択される請求項１記載の化合物。
【請求項３】
Ｒ3が水素またはＯＲ4である請求項２記載の化合物。
【請求項４】
Ｒ7が水素である請求項２記載の化合物。
【請求項５】
Ｒ8がエチルである請求項２記載の化合物。
【請求項６】
Ｒ1およびＲ2が独立して水素および置換されている−ＣＨ2−Ｃ2-8アルケニルから選択され、ここで、その置換基が置換アリールまたは置換ヘテロアリールである請求項３、４または５記載の化合物。
【請求項７】
Ｒ1およびＲ2が独立して水素、置換されているＣ1-8アルキル、場合により置換されていてもよい−ＣＨ2−Ｃ2-8アルケニル、および置換されている−ＣＨ2−Ｃ2-8アルキニルから選択され、ここで、その置換基がアリール、置換アリール、ヘテロアリールおよび置換ヘテロアリールから選択され、
Ｒ3が水素またはＯＲ4であり、そして
Ｒ7が水素である、
請求項１記載の化合物。
【請求項８】
Ｒ4がＣ1-8アルキルである請求項７記載の化合物。
【請求項９】
Ｒ3が水素である請求項８記載の化合物。
【請求項１０】
Ｒ8がエチルである請求項９記載の化合物。
【請求項１１】
Ｒ1およびＲ2が独立して水素、（Ｅ）−３−［４−（２−ピリミジニル）フェニル］−２−プロペニル、（Ｅ）−３−［１−（２−ピラジニル）−イミダゾール−４−イル］−２−プロペニル、（Ｅ）−３−（４−イソキノリニル）−２−プロペニル、（Ｅ）−３−［１−（２−ピリミジニル）−１Ｈ−イミダゾール−４−イル］−２−プロペニルおよび（Ｅ）−３−［３−（２−ピリミジニル）フェニル］−２−プロペニルから選択される請求項１０記載の化合物。
【請求項１２】
構造
【化２】
2005503416.tif 000002
で表される請求項１記載の化合物またはこれの薬学的に受け入れられる塩。
【請求項１３】
構造
【化３】
2005503416.tif 000003
で表される請求項１記載の化合物またはこれの薬学的に受け入れられる塩。
【請求項１４】
構造
【化４】
2005503416.tif 000004
で表される請求項１記載の化合物またはこれの薬学的に受け入れられる塩。
【請求項１５】
構造
【化５】
2005503416.tif 000005
で表される請求項１記載の化合物またはこれの薬学的に受け入れられる塩。
【請求項１６】
構造
【化６】
2005503416.tif 000006
で表される請求項１記載の化合物またはこれの薬学的に受け入れられる塩。
【請求項１７】
請求項１記載の化合物と薬学的に受け入れられる担体を含んで成る薬剤組成物。
【請求項１８】
細菌感染によって引き起こされるか或は細菌感染が一因である状態を有する被験体を治療するための請求項１７記載の薬剤組成物。
【請求項１９】
被験体が細菌感染によって引き起こされるか或は細菌感染が一因である状態に苦しまないようにするための請求項１７記載の薬剤組成物。
【請求項２０】
前記状態が院外感染性肺炎、上気道および下気道感染、皮膚および軟組織感染、髄膜炎、院内感染性肺感染そして骨および関節感染から選択される請求項１８または１９記載の薬剤組成物。
【請求項２１】
前記細菌が黄色ブドウ球菌、表皮ブドウ球菌、肺炎連鎖球菌、腸球菌種、モラクセラ・カタラリスおよびインフルエンザ菌から選択される請求項１８または１９記載の薬剤組成物。
【請求項２２】
前記細菌がグラム陽性球菌である請求項１８または１９記載の薬剤組成物。
【請求項２３】
前記グラム陽性球菌が抗生物質耐性である請求項２２記載の薬剤組成物。
【請求項２４】
前記グラム陽性球菌がエリスロマイシン耐性である請求項２３記載の薬剤組成物。
【請求項２５】
薬剤組成物の製造方法であって、請求項１記載の化合物のいずれかと薬学的に受け入れられる担体を混合することを含んで成る方法。
【手続補正書】
【提出日】平成17年9月6日(2005.9.6)
【手続補正１】
【補正対象書類名】特許請求の範囲
【補正対象項目名】全文
【補正方法】変更
【補正の内容】
【特許請求の範囲】
【請求項１】
構造式（Ｉ）：
【化１】
2005503411.tif 000001
［式中、
ｎは、０〜２の整数であり；
Ｘは、Ｓ、０またはＮＲ4Ｒ5であり；
Ｒ4およびＲ5は、独立して、水素、アルキル、アリール、アリールアルキル、シクロアルキルもしくはシクロアルキルアルキルであるか、または場合により、それらが結合している窒素原子とともにヘテロシクリル環を形成し；
Ａは、アリールまたはヘテロアリールであり；
Ｙは、ＣＯ2Ｒ6、Ｃ（Ｏ）ＳＲ7またはＣ（Ｏ）ＮＲ8Ｒ9であり；
Ｒ1およびＲ3は、独立して、水素、アルキル、アルコキシアルキル、アリール、アリールアルキル、アリールアルコキシアルキル、シクロアルキル、シクロアルキルアルキル、ハロアルキル、ヘテロアリール、ヘテロアリールアルキル、ヘテロアルキル、ヘテロシクリルまたはヘテロシクリルアルキルであり；
Ｒ2は、水素、アルキル、ヒドロキシルまたはオキソであり；
Ｒ6は、水素、アルキル、アリール、アリールアルキル、シクロアルキルまたはシクロアルキルアルキルであり；
Ｒ7は、水素、アルキル、アリール、アリールアルキル、シクロアルキルまたはシクロアルキルアルキルであり；
Ｒ8およびＲ9は、独立して、水素、アルキル、アリール、アリールアルキル、シクロアルキルもしくはシクロアルキルアルキルであるか、または場合により、それらが結合している窒素原子とともにヘテロシクリル環を形成するが；ただし
Ｒ3が水素であるときは、Ｒ1は、水素又はアルキルではない］
で示される化合物、または薬学的に利用できるその塩、溶媒和物もしくは水和物。
【請求項２】
Ａ−Ｙが下式：
【化２】
2005503411.tif 000002
［式中、Ｚは、Ｎまたは−ＣＨ−である］
で示される基である、請求項１記載の化合物。
【請求項３】
ｎが１であり、Ｒ2が水素である、請求項１または２記載の化合物。
【請求項４】
Ｒ3が水素である、請求項１、２または３記載の化合物。
【請求項５】
Ｒ1が、アルキル、アルコキシアルキル、アリールアルキル、アリールアルコキシアルキル、ヘテロアリールアルキルまたはヘテロアルキルである、請求項１記載の化合物。
【請求項６】
ＸがＯである、請求項１〜５のいずれか一項記載の化合物。
【請求項７】
Ｚが−ＣＨ−である、請求項６記載の化合物。
【請求項８】
Ｒ1が、アルキル、アルコキシアルキル、アリールアルキル、アリールアルコキシアルキル、ヘテロアリールアルキルまたはヘテロアルキルであり、Ｒ3が水素である、請求項７記載の化合物。
【請求項９】
Ｒ1が、アリールアルキルである、請求項８記載の化合物。
【請求項１０】
Ｒ1が、ヘテロアリールアルキルである、請求項８記載の化合物。
【請求項１１】
Ｒ1が、アルコキシアルキルまたはアリールアルコキシアルキルである、請求項８記載の化合物。
【請求項１２】
治療活性物質として用いるための、請求項１〜１１のいずれか一項記載の化合物、またはその塩、溶媒和物もしくは水和物。
【請求項１３】
肺気腫、癌または皮膚科疾患の処置用医薬を製造するための、請求項１〜１１のいずれか一項記載の化合物、またはその塩、溶媒和物もしくは水和物の使用。
【請求項１４】
請求項１〜１１のいずれか一項記載の化合物、またはその塩、溶媒和物もしくは水和物と、治療上不活性な担体とを含む医薬組成物。
【請求項１５】
肺気腫、癌または皮膚科疾患の処置のための、請求項１〜１１のいずれか一項記載の化合物、またはその塩、溶媒和物もしくは水和物に基づく医薬。
【請求項１６】
局所または全身的適用のための、請求項１５記載の医薬。
【請求項１７】
請求項１記載の化合物またはそのプロドラッグを含み、哺乳動物の肺内に送達するための、肺気腫および関連する疾患、癌または皮膚科疾患の処置用の製剤。
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
求核基を有する活性化合物の残基をも含むことを特徴とする、無水マレイン酸誘導体の残基およびビニル系不飽和を有する化合物の残基を含む交互共重合体。
【請求項２】
アルコール、チオールまたはアミン基を有する活性化合物の残基をも含むことを特徴とする、請求項１に記載の共重合体。
【請求項３】
ポリ(アミド酸)誘導体である、請求項１に記載の重合体。
【請求項４】
ポリ(イミド)誘導体である、請求項１に記載の重合体。
【請求項５】
活性化合物が酵素阻害剤である、請求項１に記載の重合体。
【請求項６】
活性化合物がアニオンまたはカチオンキレート化剤である、請求項１に記載の重合体。
【請求項７】
活性種がタンパク質または多糖類により特異的に認識される部分である、請求項１に記載の重合体。
【請求項８】
活性化合物がプロテアーゼ阻害剤である、請求項５に記載の重合体。
【請求項９】
固体の医療用インプラントデバイス、ドレッシングもしくは足場、または液状の接着剤もしくは医薬組成物の製造のために用いられる請求項１に記載の重合体。
【手続補正書】
【提出日】平成17年9月1日(2005.9.1)
【手続補正１】
【補正対象書類名】特許請求の範囲
【補正対象項目名】全文
【補正方法】変更
【補正の内容】
【特許請求の範囲】
【請求項１】
ａ）５０％より多いイソパラフィン含量、及び、添加剤なしで１時間未満のオキシデーターＡ値を有する少なくとも１つの合成潤滑基油、並びに、
ｂ）グループＩの潤滑基油、硫黄含量が５０ｐｐｍより多いグループＩＩの潤滑基油、石油誘導型グループＶの潤滑基油、及び、それらの混合物からなる群から選択される少なくとも１パーセントの非合成潤滑基油を含む潤滑基油であって、
オキシデーターＡ試験により試験すると、添加剤なしで前記合成潤滑基油の安定性より優れた安定性を有しており、オキシデーターＢＮ試験により試験すると、添加剤の存在下で前記非合成潤滑基油より優れた安定性を有する
潤滑基油。
【請求項２】
前記合成潤滑基油が、２０から８０容量％の量で存在する請求項１に記載の潤滑基油。
【請求項３】
ａ）５０ｐｐｍ未満の硫黄含量、及び、添加剤なしで１時間未満のオキシデーターＡ値を有する、少なくとも１つの合成潤滑基油、並びに、
ｂ）３００ｐｐｍより多い硫黄含量を有しており、グループＩの潤滑基油、石油誘導型グループＶの潤滑基油、及び、それらの混合物からなる群から選択される少なくとも１パーセントの非合成潤滑基油を含む潤滑基油であって、
オキシデーターＡ試験により試験すると、添加剤なしで前記合成潤滑基油の安定性より優れた安定性を有しており、オキシデーターＢＮ試験により試験すると、添加剤の存在下で前記非合成潤滑基油より優れた安定性を有する
潤滑基油。
【請求項４】
前記非合成潤滑基油が、添加剤の存在下で７時間以下のオキシデーターＢＮ値を有する請求項１〜３の何れかに記載の潤滑基油。
【請求項５】
前記潤滑基油が、添加剤なしで５時間より大きいオキシデーターＡ値、及び、添加剤の存在下で１０時間より大きいオキシデーターＢＮ値を有する請求項１〜４の何れかに記載の潤滑基油。
【請求項６】
前記潤滑基油が、添加剤なしで１０時間より大きいオキシデーターＡ値を有する請求項１〜５の何れかに記載の潤滑基油。
【請求項７】
前記合成潤滑基油を、フィッシャー−トロプシュ法により調製する請求項１〜６の何れかに記載の潤滑基油。
【請求項８】
前記非合成潤滑基油が、７００ｐｐｍより多い硫黄含量を有する請求項３〜６の何れかに記載の潤滑基油。
【請求項９】
前記合成潤滑基油が、添加剤の存在下で７時間より大きいオキシデーターＢＮ値を有する請求項３〜６の何れかに記載の潤滑基油。
【請求項１０】
前記合成潤滑基油が、添加剤の存在下で１０時間より大きいオキシデーターＢＮ値を有する請求項９に記載の潤滑基油。
【請求項１１】
前記非合成潤滑基油が、添加剤なしで５時間より大きいオキシデーターＡ値を有する請求項３〜６の何れかに記載の潤滑基油。
【請求項１２】
ａ）添加剤なしで１時間より小さいオキシデーターＡ値、及び添加剤の存在下で７時間より大きいオキシデーターＢＮ値を有する少なくとも１つの合成潤滑基油、及び
ｂ）添加剤なしで５時間より大きいオキシデーターＡ値、及び添加剤の存在下で１０時間より小さいオキシデーターＢＮ値を有する非合成潤滑基油
を含む潤滑基油であって、
オキシデーターＡ試験により試験すると、添加剤なしで前記合成潤滑基油の安定性より優れた安定性を有しており、オキシデーターＢＮ試験により試験すると、添加剤の存在下で前記非合成潤滑基油より優れた安定性を有する
潤滑基油。
【請求項１３】
前記潤滑基油が、６６℃（１５０°Ｆ）で測定した時、９０日を超える炉内貯蔵安定性を有する請求項１に記載の潤滑基油。
【請求項１４】
前記合成潤滑基油を、５０％から９９％までの量で、かつ前記非合成潤滑基油を５０％から１％の量で使用する請求項１に記載の潤滑基油。
【手続補正書】
【提出日】平成17年1月18日(2005.1.18)
【手続補正１】
【補正対象書類名】明細書
【補正対象項目名】図面の簡単な説明
【補正方法】追加
【補正の内容】
【図面の簡単な説明】
【０２０９】
【図１】    本発明に係る化合物の記憶の保持に関する効果を示すグラフである。
【手続補正２】
【補正対象書類名】図面
【補正対象項目名】図１
【補正方法】追加
【補正の内容】
【図１】
2005503437.tif 000001
【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
式Ｉ：
【化１】
2005503433.tif 000001
［式中、
Q、X、YおよびZは独立して、CR１およびNからなる群から選択されるが、ただし、Q、X、YおよびZのうちＮは２個以下であり、Q、X、YおよびZのうち少なくとも２個がCHであるか、または
YがCHであり、ZがCHであり、部分「Q＝X」が「S」であってチオフェン環を形成し、
R１は独立して、各々、水素、ハロゲン、C１-C４アルコキシおよびC１-C４アルキルからなる群から選択され、
R２は、ハロゲン、C１-C４アルコキシ、C１-C４アルキル、C3-C8シクロアルキル、シアノ、トリフルオロメチル、場合によりハロゲン、C１-C４アルコキシおよびC１-C４アルキルからなる群から独立して選択される１個または２個の置換基で置換されているピリジニル、場合によりハロゲン、C１-C４アルコキシおよびC１-C４アルキルからなる群から選択される１個の置換基で置換されているチエニル、場合によりハロゲン、C１-C４アルコキシ、C１-C４アルキル、トリフルオロメチルおよびシアノからなる群から独立して選択される１〜３個の置換基で置換されているフェニル、および場合によりハロゲン、C１-C４アルコキシおよびC１-C４アルキルからなる群から独立して選択される１〜２個の置換基で置換されているピロリル、からなる群から選択され、
R3は、場合によりハロゲン、C１-C４アルコキシ、C１-C４アルキル、トリフルオロメチル、シアノおよびニトロからなる群から独立して選択される１〜３個の置換基で置換されているフェニル、場合によりハロゲン、C１-C４アルコキシ、C１-C４アルキル、トリフルオロメチル、シアノおよびニトロからなる群から独立して選択される１〜３個の置換基で置換されているナフチル、場合によりハロゲン、C１-C４アルコキシおよびC１-C４アルキルからなる群から独立して選択される１〜２個の置換基で置換されているヘテロアリール、または場合によりハロゲン、C１-C４アルコキシおよびC１-C４アルキルからなる群から選択される１個の置換基で置換されている1,3-ベンゾジオキソリル、からなる群から選択され、
R4は、水素、ヒドロキシおよびフルオロからなる群から選択され、
R5は、水素、ハロゲン、C１-C４アルコキシ、およびC１-C４アルキルからなる群から選択され、
Raは、水素およびメチルからなる群から選択され、
ｔは、１、２または３であり、
ｍは１または２である。］
で示される化合物またはその製薬上許容される付加塩。
【請求項２】
ビフェニル-4-カルボン酸 (R)-(6-(1-((4-フルオロベンジル) メチルアミノ) エチリデンアミノ)-2(R)-ヒドロキシインダン-1-イル)アミドである、請求項１に記載の化合物。
【請求項３】
請求項１または２に記載の化合物を含む、ムスカリン性レセプターに関連する障害の治療に適した医薬組成物。
【請求項４】
請求項１または２に記載の化合物を含む、認知障害の治療に適した医薬組成物。
【請求項５】
請求項１または２に記載の化合物を含む、アルツハイマー病の治療に適した医薬組成物。
【請求項６】
請求項１または２に記載の化合物を含む、統合失調症の治療に適した医薬組成物。
【請求項７】
請求項１または２に記載の化合物を含む、軽度認知機能障害の治療に適した医薬組成物。
【請求項８】
請求項１または２に記載の化合物を含む、統合失調症に関連する認知機能障害の治療に適した医薬組成物。
【手続補正２】
【補正対象書類名】明細書
【補正対象項目名】０１７８
【補正方法】変更
【補正の内容】
【０１７８】
他のムスカリン性レセプターサブタイプ(M3およびM5)にわたり同様の方法でアゴニストおよびアンタゴニスト的様式の両方でスクリーニングすることにより、M1アゴニストの選択性を評価する。また、多数のタンパク質標的ならびに構造的に関連するＧタンパク質カップリング型レセプター(GPCR)標的にわたり、化合物をスクリーニングし、M1レセプターに対する選択性を確認する。
【手続補正３】
【補正対象書類名】明細書
【補正対象項目名】０１８５
【補正方法】変更
【補正の内容】
【０１８５】
他のムスカリン性レセプターサブタイプ(M2およびM4)にわたりアゴニストおよびアンタゴニスト的様式の両方でスクリーニングすることにより、M1アゴニストの選択性を評価する。また、化合物を多数のタンパク質標的ならびに構造的に関連するＧタンパク質カップリング型レセプター(GPCR)標的にわたり、化合物をスクリーニングし、M1レセプターに対する選択性を確認する。
【手続補正書】
【提出日】平成17年8月19日(2005.8.19)
【手続補正１】
【補正対象書類名】特許請求の範囲
【補正対象項目名】請求項１３
【補正方法】変更
【補正の内容】
【請求項１３】
さらなるナノ粒子、好ましくは無機ナノ粒子、特に好ましくは例えば金などの金属、または例えば硫化亜鉛もしくはガリウムヒ素などのＩＩ−ＶＩもしくはＩＩＩ−Ｖ半導体のナノ粒子、ＩＩ−ＶＩもしくはＩＩＩ−Ｖ半導体の金属のナノ粒子または材料の磁気的／電気的（電子的）特性に影響する材料のナノ粒子が、コアに加えてマトリックス相に含まれており、好ましいナノ粒子は特に、銀、金およびプラチナなどの貴金属、亜鉛カルコゲニドおよびカドミウムカルコゲニドなどの半導体もしくは絶縁体、ヘマタイト、マグネタイトおよびペロブスカイトなどの酸化物、窒化ガリウムなどの金属ピニクチド、またはこれら材料の混合相から選択されるものであることを特徴とする、請求項１〜１２のいずれかに記載の成形品。
【手続補正２】
【補正対象書類名】明細書
【補正対象項目名】００１３
【補正方法】変更
【補正の内容】
【００１３】
EP-A-0 955 323には、コア／シェル粒子であって、コアおよびシェル材料が２相系を形成することができ、以下によって特徴付けられている前記粒子、すなわち、シェル材料によりフィルム形成可能であり、コアがシェルのフィルム形成の条件下において本質的に寸法的に安定であり、シェル材料がごく僅かに膨張可能であるか、またはまったく膨張しないかであり、そして単分散な粒度分布を有し、コア材料とシェル材料の屈折率間に少なくとも０．００１の差がある、前記粒子が記載されている。このコア／シェル粒子の製造およびこれらの効果着色剤（effect colourant）への使用も記載されている。効果着色剤の製造プロセスは、次のステップを含む：
【手続補正３】
【補正対象書類名】明細書
【補正対象項目名】０１１７
【補正方法】変更
【補正の内容】
【０１１７】
例７：二酸化ケイ素コア（２５０ｎｍ）を有するコア／シェル粒子の製造
登録商標Ｍｏｎｏｓｐｈｅｒ２５０を６０ｇ（Ｍｅｒｃｋ；平均粒径２５０ｎｍ；平均粒径の標準偏差＜５％）をエタノール中に懸濁させる。３−メタクリルオキシプロピルトリメトキシシラン６ｇを、７５℃で１５分間にわたり、激しく攪拌しつつ、一滴ずつ加える。７５℃で１２時間後、得られた粉体を分離して乾燥する。
水９０ｇとドデシル硫酸ナトリウム５０ｍｇを、１０ｇの官能基化した登録商標Ｍｏｎｏｓｐｈｅｒ２５０に加え、混合物を１日間激しく攪拌して分散させる。懸濁液を続いてホモジナイザー（Ｎｉｒｏ  Ｓｏａｖｉ、ＮＳ１００１Ｌ）内で分散させる。分散液に水７０ｇを加え、得られた混合物を４℃に冷却する。
【手続補正４】
【補正対象書類名】明細書
【補正対象項目名】０１２２
【補正方法】変更
【補正の内容】
【０１２２】
例１０：ブチルアクリレートのシェルを有するコア／シェル粒子の製造
４℃に維持した、水２１７ｇ、ブタンジオールジアクリレート０．４ｇ（Ｍｅｒｃｋ、不安定化）、スチレン３．６ｇ（ＢＡＳＦ、不安定化）、およびドデシル硫酸ナトリウム８０ｍｇ（ＳＤＳ、Ｍｅｒｃｋ）からなる混合物を、予め７５℃に熱した、プロペラ攪拌器、アルゴン保護ガス注入口および還流冷却器を備え攪拌された反応装置に入れ、激しく攪拌して分散させる。これらを入れた直後、亜ジチオン酸ナトリウム５０ｍｇ（Ｍｅｒｃｋ）、ペルオキソ二硫酸アンモニウム２５０ｍｇ（Ｍｅｒｃｋ）、およびさらに亜ジチオン酸ナトリウム５０ｍｇ（Ｍｅｒｃｋ）をそれぞれ５ｇの水に溶解して直接順番に添加することにより、反応が開始される。１０分後、ブタンジオールジアクリレート６．６ｇ（Ｍｅｒｃｋ、不安定化）、スチレン５９．４ｇ（ＢＡＳＦ、不安定化）、ＳＤＳ０．３ｇ、ＫＯＨ０．１ｇおよび水９０ｇを含むモノマー乳濁液を、２１０分間連続メータリングする。反応装置の内容物は、さらに添加することなく３０分間攪拌する。アリルメタクリレート３ｇ（Ｍｅｒｃｋ、不安定化）、メチルメタクリレート２７ｇ（ＢＡＳＦ、不安定化）、ＳＤＳ０．１５ｇ（Ｍｅｒｃｋ）、および水４０ｇを含む第二のモノマー乳濁液を、９０分間連続メータリングする。続いて反応装置の内容物を、さらに添加することなく３０分間攪拌する。ブチルアクリレート１３０ｇ（Ｍｅｒｃｋ、不安定化）、水１３９ｇおよびＳＤＳ０．３３ｇ（Ｍｅｒｃｋ）を含むモノマー乳濁液を、１８０分間連続メータリングする。混合物を続いて６０分間攪拌し、モノマーの反応を実質的に完了させる。コア／シェル粒子は続いてエタノール１ｌ中に析出させ、蒸留水１ｌを加え、粒子を吸引ろ過し、乾燥して、例２〜５に記載のようにさらに加工する。
【手続補正５】
【補正対象書類名】明細書
【補正対象項目名】０１２３
【補正方法】変更
【補正の内容】
【０１２３】
例１１：エチルアクリレート／ブチルアクリレートのシェルを有するコア／シェル粒子の製造
４℃に維持した、水２１７ｇ、ブタンジオールジアクリレート０．４ｇ（Ｍｅｒｃｋ、不安定化）、スチレン３．６ｇ（ＢＡＳＦ、不安定化）、およびドデシル硫酸ナトリウム６０ｍｇ（ＳＤＳ、Ｍｅｒｃｋ）からなる混合物を、予め７５℃に熱した、プロペラ攪拌器、アルゴン保護ガス注入口および還流冷却器を備え攪拌した反応装置に入れ、激しく攪拌して分散させる。これらを入れた直後、亜ジチオン酸ナトリウム５０ｍｇ（Ｍｅｒｃｋ）、ペルオキソ二硫酸アンモニウム３００ｍｇ（Ｍｅｒｃｋ）、およびさらに亜ジチオン酸ナトリウム５０ｍｇ（Ｍｅｒｃｋ）をそれぞれ５ｇの水に溶解して直接順番に添加することにより、反応が開始される。１０分後、ブタンジオールジアクリレート８．１ｇ（Ｍｅｒｃｋ、不安定化）、スチレン７２．９ｇ（ＢＡＳＦ、不安定化）、ＳＤＳ０．３７５ｇ、ＫＯＨ０．１ｇおよび水１１０ｇを含むモノマー乳濁液を、１５０分間連続メータリングする。反応装置の内容物は、さらに添加することなく３０分間攪拌する。アリルメタクリレート１．５ｇ（Ｍｅｒｃｋ、不安定化）、メチルメタクリレート１３．５ｇ（ＢＡＳＦ、不安定化）、ＳＤＳ０．０７５ｇ（Ｍｅｒｃｋ）、および水２０ｇを含む第二のモノマー乳濁液を、続いて４５分間連続メータリングする。反応装置の内容物を、さらに添加することなく３０分間攪拌する。水５ｇに溶解したＡＰＳ５０ｍｇを続いて加える。エチルアクリレート５９．４ｇ（Ｍｅｒｃｋ、不安定化）、ブチルアクリレート５９．４ｇ、アクリル酸１．２ｇ、水１２０ｇおよびＳＤＳ０．３３ｇ（Ｍｅｒｃｋ）を含むモノマー乳濁液を、続いて２４０分間連続メータリングする。混合物を続いてさらに６０分間攪拌し、モノマーの反応を実質的に完了させる。コア／シェル粒子は続いてメタノール１ｌ中に析出させ、蒸留水１ｌを加え、粒子を吸引ろ過し、乾燥して、例２〜５に記載のようにさらに加工する。
【手続補正書】
【提出日】平成17年8月23日(2005.8.23)
【手続補正１】
【補正対象書類名】特許請求の範囲
【補正対象項目名】全文
【補正方法】変更
【補正の内容】
【特許請求の範囲】
【請求項１】
ガス流からＣＯ２を除去するための方法であって、
ａ．  メタン及びＣＯ２を含有するガス流を水性流と接触させ、前記ガス流中のＣＯ２の少なくとも一部分を前記水性流中へ溶解し、高メタン濃度を有するＣＯ２欠乏ガス流及びＣＯ２に富む水性流を形成する工程であって、前記水性流が、大気圧より高く、かつ、前記ガス流の源の圧力より低い圧力にあり、また、前記水性流が少なくとも７．０のｐＨを有する工程、
ｂ．  前記ガス流からＣＯ２に富む水性流を分離する工程、及び
ｃ．  前記ＣＯ２に富む水性流を、海洋環境、陸地構成物又はそれらの組合せの少なくとも一つの中に廃棄する工程であって、前記ＣＯ２に富む水性流の廃棄を、ガス流から除去されたＣＯ２の少なくとも７５％が水性流中に溶解したままになっていることを確保するのに充分な条件で行う工程、
を含む、上記方法。
【請求項２】
フィッシャー・トロプシュＧＴＬ設備中においてメタン含有ガスを液体炭化水素へ転化するための方法であって、
ａ）  フィッシャー・トロプシュＧＴＬ設備へ供給されるメタン含有ガスを水性流と接触させ、前記メタン含有ガス中のＣＯ２の少なくとも一部分を前記水性流中へ溶解し、ＣＯ２欠乏メタン含有ガス及びＣＯ２に富む水性流を形成する工程であって、メタン含有ガスと接触する際に、前記水性流が、大気圧より高く、メタン含有ガスを供給する源の圧力より低い圧力にあり、また、メタン含有ガスと接触する前に、水性流が少なくとも７．０のｐＨを有する工程であって、
ｂ）  ガス流から前記ＣＯ２に富む水性流を分離する工程、
ｃ）  前記ＣＯ２に富む水性流を、海洋環境、陸地構成物又はそれらの組合せの少なくとも一つの中へ廃棄する工程であって、前記ＣＯ２に富む水性流の廃棄を、ガス流から除去されたＣＯ２の少なくとも７５％が水性流中に溶解したままになっていることを確保するのに充分な条件で行う工程、及び
ｄ）  前記フィッシャー・トロプシュＧＴＬ設備中においてＣＯ２欠乏メタン含有ガスを処理して液体炭化水素を得る工程
を含む、上記方法。
【請求項３】
ガスからＣＯ２を除去するための方法であって、
ａ）  メタン及びＣＯ２を含有するガスを、ＣＯ２選択性吸着剤と、大気圧より高く、前記ガス流を供給する源の圧力より低い圧力にて接触させ、ＣＯ２に富む吸着剤と高メタン濃度を有するＣＯ２欠乏ガスとを形成する工程、
ｂ）  前記ＣＯ２に富む吸着剤を処理し、工程（ａ）で再使用するために再循環するための吸着剤を再生し、且つＣＯ２流を形成する工程、
ｃ）  前記ＣＯ２流を水性流と接触させ、前記ＣＯ２の少なくとも一部分を前記水性流中へ溶解し、ＣＯ２に富む水性流を得る工程であって、前記水性流が、大気圧より高く、かつ、前記ＣＯ２流の源の圧力より低い圧力にあり、また、前記ＣＯ２流と接触する前に、水性流が少なくとも７．０のｐＨを有する工程、及び
ｄ）  前記ＣＯ２に富む水性流を、海洋環境、陸地構成物又はそれらの組合せの少なくとも一つの中へ廃棄する工程であって、前記ＣＯ２に富む水性流の廃棄を、前記ＣＯ２流から除去されたＣＯ２の少なくとも７５％が水性流中に溶解したままになっていることを確保するのに充分な圧力で行う工程、
を含む、上記方法。
【請求項４】
前記圧力が、前記ＣＯ２流から除去されたＣＯ２の少なくとも９０％が前記水性流中に溶解したままになっていることを確保するのに充分である、請求項３に記載の方法。
【請求項５】
前記水性流を、海水、フィッシャー・トロプシュＧＴＬプロセスで形成された反応水、フィッシャー・トロプシュＧＴＬプロセスからの使用済み冷却用水、河川水、非飲料水、炭化水素生産から回収された水及びそれらの組合せの少なくとも一つから得る、請求項１、２、３又は４に記載の方法。
【請求項６】
ガス流からＣＯ２を除去するための方法であって、
ａ）  メタン及びＣＯ２を含有するガス流を、大気圧より高く、ガス流の源の圧力より低い圧力にて、フィッシャー・トロプシュＧＴＬプロセスで形成された反応水、フィッシャー・トロプシュＧＴＬプロセスからの使用済み冷却用水、及び、それらの組合せからなる群から選択された、水性流と接触させ、前記ガス流中のＣＯ２の少なくとも一部分を前記水性流中に溶解し、高メタン濃度を有するＣＯ２欠乏ガス流とＣＯ２に富む水性流とを形成する工程、
ｂ）  前記ＣＯ２に富む水性流を前記ガス流から分離する工程、及び
ｃ）  前記ＣＯ２に富む水性流を、海洋環境、陸地構成物又はそれらの組合せの少なくとも一つの中へ、前記ガス流から除去されたＣＯ２の少なくとも７５％が前記水性流中に溶解したままになっている温度、圧力及びｐＨで廃棄する工程
を含む、上記方法。
【請求項７】
フィッシャー・トロプシュＧＴＬ設備中においてメタン含有ガスを液体炭化水素へ転化するための方法であって、
ａ）  フィッシャー・トロプシュＧＴＬ設備へ供給されるメタン含有ガスを、大気圧より高く、メタン含有ガスの源の圧力より低い圧力にて、フィッシャー・トロプシュＧＴＬプロセスで形成された反応水、フィッシャー・トロプシュＧＴＬプロセスからの使用済み冷却用水、及び、それらの組合せからなる群から選択された水を含む、水性流と接触させ、前記メタン含有ガス中のＣＯ２の少なくとも一部分を前記水性流中に溶解し、ＣＯ２欠乏メタン含有ガスとＣＯ２に富む水性流とを形成する工程、
ｂ）  前記ＣＯ２に富む水性流を前記ガス流から分離する工程、
ｃ）  前記ＣＯ２に富む水性流を、海洋環境、陸地構成物又はそれらの組合せの少なくとも一つの中へ、前記ガス流から除去されたＣＯ２の少なくとも７５％が前記水性流中に溶解したままになっている温度、圧力及びｐＨで廃棄する工程、
ｄ）  前記ＣＯ２欠乏メタン含有ガスをフィッシャー・トロプシュＧＴＬ設備中で処理して液体炭化水素を得る工程
ｅ）  フィッシャー・トロプシュＧＴＬプロセスで形成された反応水、フィッシャー・トロプシュＧＴＬプロセスからの使用済み冷却用水、又は、それらの組合せの少なくとも一部を前記水性流として用いる工程、及び
ｆ）  前記水性流をリサイクルして、前記メタン含有ガスと接触させる工程
を含む、上記方法。
【請求項８】
前記メタン含有ガスと接触する前に、前記水性流が少なくとも７．０のｐＨを有する、請求項７に記載の方法。
【請求項９】
前記水性流のｐＨが、アルカリ物質の添加、アンモニアの添加、塩基の添加又はそれらの組合せにより、上昇する、請求項８に記載の方法。
【請求項１０】
前記水性流を前記ガス流に接触する前に、前記水性流のｐＨを塩基性物質で調整する工程を更に含む、請求項１又は７に記載の方法。
【請求項１１】
前記水性流を前記ガス流に接触する前に、前記水性流を脱気する工程を更に含む、請求項１、７、８、９又は１０に記載の方法。
【請求項１２】
前記陸地構成物が、炭化水素質構成物、非炭化水素質構成物及びそれらの組合せからなる群より選択される、請求項１〜１１の何れかに記載の方法。